(57)【要約】【課題】放送中のコンテンツと関連性のあるコンテンツを画面に同時に表示する。【解決手段】第１の識別コードが挿入された第１のコンテンツデータを受信する放送受信部２６と、第２の識別コードが挿入された第２のコンテンツデータを受信する通信部２７と、第１のコンテンツデータから第１の識別コードを抽出する第１の抽出部３４と、第２のコンテンツデータから第２の識別コードを抽出する第２の抽出部３７と、第１の識別コードと第２の識別コードとを比較する制御部３０と、第１のコンテンツデータと第２のコンテンツデータとを同時に表示する表示部２５とを備え、第１及び第２の識別コードは、業種コードを含み、制御部３０は、第１の業種コードと第２の業種コードとが同一であるとき、第１及び第２の広告コンテンツデータを表示部２５で同時に表示する。【選択図】図５
2009010873.tif 000002
【特許請求の範囲】
【請求項１】
第１の識別コードが挿入された第１の広告及び／又は番組コンテンツデータを第１のネットワークを介して送信する第１の送信装置と、
第２の識別コードが挿入された第２の広告コンテンツデータを第２のネットワークを介して送信する第２の送信装置と、
上記第１の送信装置から送信された第１の広告及び／又は番組コンテンツデータと上記第２の送信装置から送信された第２の広告コンテンツデータとを受信する表示装置とを備え、
上記第１の送信装置は、上記第１の広告及び／又は番組コンテンツデータを格納する第１の格納手段と、
上記第１の格納手段に格納されている第１の広告及び／又は番組コンテンツデータに第１の識別コードを挿入する第１の挿入手段と、
上記第１の挿入手段で第１の識別コードが挿入された第１の広告及び／又は番組コンテンツデータを上記第１のネットワークを介して送信する第１の送信手段とを有し、
上記第２の送信装置は、上記第２の広告コンテンツデータを格納する第２の格納手段と、
上記第２の格納手段に格納されている第２の広告コンテンツデータに第２の識別コードを挿入する第２の挿入手段と、
上記第２の挿入手段で第２の識別コードが挿入された第２の広告コンテンツデータを上記第２のネットワークを介して送信する第２の送信手段とを有し、
上記表示装置は、上記第１の識別コードが挿入された第１の広告及び／又は番組コンテンツデータを上記第１のネットワークを介して受信する第１の受信手段と、
上記第２の識別コードが挿入された第２の広告コンテンツデータを上記第２のネットワークを介して受信する第２の受信手段と、
上記第１の受信手段で受信された第１の広告及び／又は番組コンテンツデータから上記第１の識別コードを抽出する第１の抽出手段と、
上記第２の受信手段で受信された第２の広告コンテンツデータから上記第２の識別コードを抽出する第２の抽出手段と、
上記第１の抽出手段で抽出された第１の識別コードと上記第２の抽出手段で抽出された第２の識別コードとを比較する判定手段と、
上記第１の広告及び／又は番組コンテンツデータと上記第２の広告コンテンツデータとを同時に表示する表示手段とを有し、
上記第１及び第２の識別コードは、コンテンツの業種を識別する業種コードを含み、
上記判定手段は、上記第１の広告及び／又は番組コンテンツデータの第１の業種コードと上記第２の広告コンテンツデータの第２の業種コードとを比較し、上記第１の広告及び／又は番組コンテンツデータの第１の業種コードと上記第２の広告コンテンツデータの第２の業種コードとが同一であるとき、上記第１の広告及び／又は番組コンテンツデータと上記第２の広告コンテンツデータとを上記表示手段で同時に表示することを特徴とする表示システム。
【請求項２】
上記第１及び第２の識別コードは、更に、コンテンツのスポンサを識別するスポンサコードとを含み、
上記判定手段は、上記第１の広告及び／又は番組コンテンツデータの第１の業種コードと上記第２の広告コンテンツデータの第２の業種コードとが同一であるとき、更に、上記第１の広告及び／又は番組コンテンツデータの第１のスポンサコードと上記第２の広告コンテンツデータの第２のスポンサコードとを比較し、上記第１の広告及び／又は番組コンテンツデータの第１のスポンサコードと上記第２の広告コンテンツデータの第２のスポンサコードとが異なるとき、上記第１の広告及び／又は番組コンテンツデータと上記第２の広告コンテンツデータとを上記表示手段で同時に表示することを特徴とする請求項１記載の表示システム。
【請求項３】
上記第１及び第２の識別コードは、更に、コンテンツのスポンサを識別するスポンサコードとを含み、
上記判定手段は、上記第１の広告及び／又は番組コンテンツデータの第１の業種コードと上記第２の広告コンテンツデータの第２の業種コードとが同一であるとき、更に、上記第１の広告及び／又は番組コンテンツデータの第１のスポンサコードと上記第２の広告コンテンツデータの第２のスポンサコードとを比較し、上記第１の広告及び／又は番組コンテンツデータの第１のスポンサコードと上記第２の広告コンテンツデータの第２のスポンサコードとが同一であるとき、上記第１の広告及び／又は番組コンテンツデータと上記第２の広告コンテンツデータとを上記表示手段で同時に表示することを特徴とする請求項１記載の表示システム。
【請求項４】
上記第１及び第２の識別コードは、更に、コンテンツを識別する広告コードを含み、
上記判定手段は、上記第１の広告及び／又は番組コンテンツデータの第１のスポンサコードと上記第２の広告コンテンツデータの第２のスポンサコードとが同一であるとき、更に、上記第１の広告及び／又は番組コンテンツデータの第１の広告コードと上記第２の広告コンテンツデータの第２の広告コードとを比較し、上記第１の広告及び／又は番組コンテンツデータの第１の広告コードと上記第２の広告コンテンツデータの第２の広告コードとが異なるとき、上記第１の広告及び／又は番組コンテンツデータと上記第２の広告コンテンツデータとを上記表示手段で同時に表示することを特徴とする請求項３記載の表示システム。
【請求項５】
第１の識別コードを第１の広告及び／又は番組コンテンツデータに第１の挿入手段で挿入する第１の挿入ステップと、
上記第１の識別コードが挿入された第１の広告及び／又は番組コンテンツデータを第１のネットワークを介して第１の送信手段で送信する第１の送信ステップと、
第２の識別コードを第２の広告コンテンツデータに第２の挿入手段で挿入する第２の挿入ステップと、
上記第２の識別コードが挿入された第２の広告コンテンツデータを第２のネットワークを介して第２の送信手段で送信する第２の送信ステップと、
上記第１の識別コードが挿入された第１の広告及び／又は番組コンテンツデータを上記第１のネットワークを介して第１の受信手段で受信する第１の受信ステップと、
上記第２の識別コードが挿入された第２の広告コンテンツデータを上記第２のネットワークを介して第２の受信手段で受信する第２の受信ステップと、
上記第１の受信手段で受信された第１の広告及び／又は番組コンテンツデータから上記第１の識別コードに含まれる第１の業種コードを第１の抽出手段で抽出する第１の抽出ステップと、
上記第２の受信手段で受信された第２の広告コンテンツデータから上記第２の識別コードに含まれる第２の業種コードを第２の抽出手段で抽出する第２の抽出ステップと、
上記第１の抽出手段で抽出された第１の業種コードと上記第２の抽出手段で抽出された第２の業種コードとを判定手段で比較する判定ステップと、
上記第１の業種コードと上記第２の業種コードとが同一であるとき、上記第１の広告及び／又は番組コンテンツデータと上記第２の広告コンテンツデータとを表示手段で同時に表示する表示ステップとを有することを特徴とする表示方法。
【請求項６】
第１の識別コードが挿入された第１の広告及び／又は番組コンテンツデータを第１のネットワークを介して受信する第１の受信手段と、
第２の識別コードが挿入された第２の広告コンテンツデータを第２のネットワークを介して受信する第２の受信手段と、
上記第１の受信手段で受信された第１の広告及び／又は番組コンテンツデータから上記第１の識別コードを抽出する第１の抽出手段と、
上記第２の受信手段で受信された第２の広告コンテンツデータから上記第２の識別コードを抽出する第２の抽出手段と、
上記第１の抽出手段で抽出された第１の識別コードと上記第２の抽出手段で抽出された第２の識別コードとを比較する判定手段と、
上記第１の広告及び／又は番組コンテンツデータと上記第２の広告コンテンツデータとを同時に表示する表示手段とを備え、
上記第１及び第２の識別コードは、コンテンツの業種を識別する業種コードを含み、
上記判定手段は、上記第１の広告及び／又は番組コンテンツデータの第１の業種コードと上記第２の広告コンテンツデータの第２の業種コードとを比較し、上記第１の広告及び／又は番組コンテンツデータの第１の業種コードと上記第２の広告コンテンツデータの第２の業種コードとが同一であるとき、上記第１の広告及び／又は番組コンテンツデータと上記第２の広告コンテンツデータとを上記表示手段で同時に表示することを特徴とする表示装置。
【請求項７】
上記第１及び第２の識別コードは、更に、コンテンツのスポンサを識別するスポンサコードとを含み、
上記判定手段は、上記第１の広告及び／又は番組コンテンツデータの第１の業種コードと上記第２の広告コンテンツデータの第２の業種コードとが同一であるとき、更に、上記第１の広告及び／又は番組コンテンツデータの第１のスポンサコードと上記第２の広告コンテンツデータの第２のスポンサコードとを比較し、上記第１の広告及び／又は番組コンテンツデータの第１のスポンサコードと上記第２の広告コンテンツデータの第２のスポンサコードとが異なるとき、上記第１の広告及び／又は番組コンテンツデータと上記第２の広告コンテンツデータとを上記表示手段で同時に表示することを特徴とする請求項６記載の表示装置。
【請求項８】
上記第１及び第２の識別コードは、更に、コンテンツのスポンサを識別するスポンサコードとを含み、
上記判定手段は、上記第１の広告及び／又は番組コンテンツデータの第１の業種コードと上記第２の広告コンテンツデータの第２の業種コードとが同一であるとき、更に、上記第１の広告及び／又は番組コンテンツデータの第１のスポンサコードと上記第２の広告コンテンツデータの第２のスポンサコードとを比較し、上記第１の広告及び／又は番組コンテンツデータの第１のスポンサコードと上記第２の広告コンテンツデータの第２のスポンサコードとが同一であるとき、上記第１の広告及び／又は番組コンテンツデータと上記第２の広告コンテンツデータとを上記表示手段で同時に表示することを特徴とする請求項６記載の表示装置。
【請求項９】
上記第１及び第２の識別コードは、更に、コンテンツを識別する広告コードを含み、
上記判定手段は、上記第１の広告及び／又は番組コンテンツデータの第１のスポンサコードと上記第２の広告コンテンツデータの第２のスポンサコードとが同一であるとき、更に、上記第１の広告及び／又は番組コンテンツデータの第１の広告コードと上記第２の広告コンテンツデータの第２の広告コードとを比較し、上記第１の広告及び／又は番組コンテンツデータの第１の広告コードと上記第２の広告コンテンツデータの第２の広告コードとが異なるとき、上記第１の広告及び／又は番組コンテンツデータと上記第２の広告コンテンツデータとを上記表示手段で同時に表示することを特徴とする請求項８記載の表示装置。
【請求項１０】
第１の識別コードが挿入された第１の広告及び／又は番組コンテンツデータを第１のネットワークを介して第１の受信手段で受信する第１の受信ステップと、
第２の識別コードが挿入された第２の広告コンテンツデータを第２のネットワークを介して第２の受信手段で受信する第２の受信ステップと、
上記第１の受信手段で受信された第１の広告及び／又は番組コンテンツデータから上記第１の識別コードに含まれる第１の業種コードを第１の抽出手段で抽出する第１の抽出ステップと、
上記第２の受信手段で受信された第２の広告コンテンツデータから上記第２の識別コードに含まれる第２の業種コードを第２の抽出手段で抽出する第２の抽出ステップと、
上記第１の抽出手段で抽出された第１の業種コードと上記第２の抽出手段で抽出された第２の業種コードとを判定手段で比較する判定ステップと、
上記第１の業種コードと上記第２の業種コードとが同一であるとき、上記第１の広告及び／又は番組コンテンツデータと上記第２の広告コンテンツデータとを表示手段で同時に表示する表示ステップとを有することを特徴とする表示方法。
【発明の詳細な説明】
【技術分野】
【０００１】
本発明は、放送中のコンテンツデータと、このコンテンツデータと関連性のあるコンテンツデータとを画面に同時に表示する表示システム、表示装置及び表示方法に関する。
【背景技術】
【０００２】
近年放送波に搬送されてきた番組コンテンツデータを視聴することができ、且つ、インタ−ネットに接続可能なテレビジョン受信機がある（特許文献１参照）。このようなテレビジョン受信機は、放送波に搬送されてきた番組コンテンツデータ及び／又は広告コンテンツデータと並列して、インターネットを介して配信された広告コンテンツデータを同時に表示させることができる。
【０００３】
しかしながら、このようなテレビジョン受信機は、放送波に搬送されてきた番組コンテンツデータ及び／又は広告コンテンツデータと並列して、インターネットを介して配信された広告コンテンツデータを無条件に同時に表示しており、放送波に搬送されてきた番組コンテンツデータ及び／又は広告コンテンツデータと全く関連性のない広告コンテンツデータとが画面に同時に表示されている。
【０００４】
【特許文献１】特開２００２−３４４９４３号公報
【発明の開示】
【発明が解決しようとする課題】
【０００５】
本発明は、放送中のコンテンツデータと、このコンテンツデータと関連性のあるコンテンツデータとを画面に同時に表示する表示システム、表示装置及び表示方法を提供することを目的とする。
【課題を解決するための手段】
【０００６】
上述した目的を達成する本発明に係る表示システムは、第１の識別コードが挿入された第１の広告及び／又は番組コンテンツデータを第１のネットワークを介して送信する第１の送信装置と、第２の識別コードが挿入された第２の広告コンテンツデータを第２のネットワークを介して送信する第２の送信装置と、上記第１の送信装置から送信された第１の広告及び／又は番組コンテンツデータと上記第２の送信装置から送信された第２の広告コンテンツデータとを受信する表示装置とを備える。
【０００７】
そして、上記第１の送信装置は、上記第１の広告及び／又は番組コンテンツデータを格納する第１の格納手段と、上記第１の格納手段に格納されている第１の広告及び／又は番組コンテンツデータに第１の識別コードを挿入する第１の挿入手段と、上記第１の挿入手段で第１の識別コードが挿入された第１の広告及び／又は番組コンテンツデータを上記第１のネットワークを介して送信する第１の送信手段とを有する。
【０００８】
また、上記第２の送信装置は、上記第２の広告コンテンツデータを格納する第２の格納手段と、上記第２の格納手段に格納されている第２の広告コンテンツデータに第２の識別コードを挿入する第２の挿入手段と、上記第２の挿入手段で第２の識別コードが挿入された第２の広告コンテンツデータを上記第２のネットワークを介して送信する第２の送信手段とを有する。
【０００９】
更に、上記表示装置は、上記第１の識別コードが挿入された第１の広告及び／又は番組コンテンツデータを上記第１のネットワークを介して受信する第１の受信手段と、上記第２の識別コードが挿入された第２の広告コンテンツデータを上記第２のネットワークを介して受信する第２の受信手段と、上記第１の受信手段で受信された第１の広告及び／又は番組コンテンツデータから上記第１の識別コードを抽出する第１の抽出手段と、上記第２の受信手段で受信された第２の広告コンテンツデータから上記第２の識別コードを抽出する第２の抽出手段と、上記第１の抽出手段で抽出された第１の識別コードと上記第２の抽出手段で抽出された第２の識別コードとを比較する判定手段と、上記第１の広告及び／又は番組コンテンツデータと上記第２の広告コンテンツデータとを同時に表示する表示手段とを有する。
【００１０】
そして、本発明に係る表示システムは、上記第１及び第２の識別コードが、コンテンツの業種を識別する業種コードを含み、上記判定手段は、上記第１の広告及び／又は番組コンテンツデータの第１の業種コードと上記第２の広告コンテンツデータの第２の業種コードとを比較し、上記第１の広告及び／又は番組コンテンツデータの第１の業種コードと上記第２の広告コンテンツデータの第２の業種コードとが同一であるとき、上記第１の広告及び／又は番組コンテンツデータと上記第２の広告コンテンツデータとを上記表示手段で同時に表示する。
【００１１】
また、本発明は、以上のような表示システムに用いられる表示装置と、これら表示システム及び表示装置の表示方法である。
【発明の効果】
【００１２】
本発明によれば、第１の広告及び／又は番組コンテンツデータの第１の業種コードと第２の広告コンテンツデータの第２の業種コードとが同一であるとき、第１の広告及び／又は番組コンテンツデータと第２の広告コンテンツデータとを表示手段に同時に表示することで、放送中の第１の広告及び／又は番組コンテンツデータと、この第１の広告及び／又は番組コンテンツデータと関連性のあるコンテンツとを表示手段に同時に表示することができる。すなわち、ユーザは、第１のスポンサの第１の広告及び／又は番組コンテンツデータを見ている最中に、第１のスポンサと同業種の第２のスポンサの第２の広告コンテンツデータを視聴することができる。
【発明を実施するための最良の形態】
【００１３】
以下、本発明が適用された表示システムを、図面を参照しながら詳細に説明する。
【００１４】
図１に示すように、本発明が適用された表示システム１は、第１のネットワークであるデジタル放送網２を介して第１の識別コードが挿入された第１の広告コンテンツデータ及び番組コンテンツデータを送信する第１の送信装置である放送装置４と、第２のネットワークであるインターネット５を介して第２の識別コードが挿入された第２の広告コンテンツデータを送信する第２の送信装置である配信サーバ７と、放送装置４から送信された第１の広告コンテンツ及び番組コンテンツデータと配信サーバ７から送信された第２の広告コンテンツデータとを受信する表示装置であるテレビジョン受信機８とを備える。
【００１５】
デジタル放送網２を介して第１の識別コードが挿入された第１の広告コンテンツデータ及び番組コンテンツデータを送信する放送装置４は、大容量ハードディスク等で構築され、第１の広告コンテンツデータを格納する第１の広告コンテンツ格納部９と、大容量ハードディスク等で構築され、番組コンテンツデータを格納する番組コンテンツ格納部１０と、第１の広告コンテンツデータを符号化する第１の広告コンテンツ符号化部１１と、番組コンテンツデータを符号化する番組コンテンツ符号化部１２と、第１の広告コンテンツデータ及び番組コンテンツデータと関連付けされた第１の識別コードを格納する第１のデータベース１３と、第１の識別コードを第１の広告コンテンツデータに挿入する第１の挿入部１４と、第１の識別コードを番組コンテンツデータに挿入する第２の挿入部１５と、番組コンテンツデータに所定時間おきに第１の広告コンテンツデータを挿入して時系列に並べて放送コンテンツデータを生成するスイッチャ１６と、この放送コンテンツデータをデジタル変調して放送信号を生成する変調部１７と、この放送信号を放出する送信アンテナ１８とを有する。
【００１６】
第１の広告コンテンツデータを格納している第１の広告コンテンツ格納部９は、第１の広告コンテンツデータを第１の広告コンテンツ符号化部１１に供給する。第１の広告コンテンツデータが供給された第１の広告コンテンツ符号化部１１は、第１の広告コンテンツデータを、例えばＭＰＥＧ−２（Moving Picture Experts Group-2）に準拠して符号化し、符号化された第１の広告コンテンツデータを第１の挿入部１４に供給する。第１の広告コンテンツデータ及び番組コンテンツデータと関連付けされた第１の識別コードを格納する第１のデータベース１３は、第１の広告コンテンツデータ及び番組コンテンツデータと関連付けされた第１の識別コードを第１の挿入部１４に供給する。第１の広告コンテンツデータ及び番組コンテンツデータと関連付けされた第１の識別コードが供給された第１の挿入部１４は、第１の識別コードを、第１の広告コンテンツデータのヘッダ等の所定の場所に挿入し、この第１の広告コンテンツデータをスイッチャ１６に供給する。
【００１７】
また、番組コンテンツデータを格納している番組コンテンツ格納部１０は、番組コンテンツデータを番組コンテンツ符号化部１２に供給する。番組コンテンツデータが供給された番組コンテンツ符号化部１２は、番組コンテンツデータを、例えばＭＰＥＧ−２に準拠して符号化し、符号化された番組コンテンツデータを第２の挿入部１５に供給する。番組コンテンツデータと関連付けされた第１の識別コードを格納する第１のデータベース１３は、番組コンテンツデータと関連付けされた第１の識別コードを第２の挿入部１５に供給する。番組コンテンツデータと関連付けされた第１の識別コードが供給された第２の挿入部１５は、第１の識別コードを、番組コンテンツデータのヘッダ等の所定の場所に挿入し、この番組コンテンツデータをスイッチャ１６に供給する。
【００１８】
そして、第１の広告コンテンツデータ及び番組コンテンツデータが供給されたスイッチャ１６は、例えば番組コンテンツデータの所定時間おきに第１の広告コンテンツデータが所定時間放送されるように、番組コンテンツデータに第１の広告コンテンツデータを挿入して時系列に並べて放送コンテンツデータを生成し、この放送コンテンツデータを変調部１７に供給する。放送コンテンツデータが供給された変調部１７は、放送コンテンツデータを多重化し、多重化された放送コンテンツデータを、例えば畳み込み方式とリードソロモン方式とを組み合わせて誤り訂正符号化し、誤り訂正符号化された放送コンテンツデータを、例えばＱＡＭ（Quadrature Amplitude Modulation）方式でデジタル変調して放送信号を生成し、デジタル変調して生成された放送信号を増幅し、増幅された放送信号を送信アンテナ１８に供給する。放送信号が供給された第１のアンテナは、この放送信号を、デジタル放送網２を介して放出する。
【００１９】
インターネット５を介して第２の識別コードが挿入された第２の広告コンテンツデータを送信する配信サーバ７は、大容量ハードディスク等で構築され、第２の広告コンテンツデータを格納する第２の広告コンテンツ格納部１９と、第２の広告コンテンツデータを符号化する第２の広告コンテンツ符号化部２０と、第２の広告コンテンツデータと関連付けされた第２の識別コードを格納する第２のデータベース２１と、第２のデータベース２１から供給された第２の識別コードを第２の広告コンテンツデータに挿入する第３の挿入部２２と、第２の識別コードが挿入された第２の広告コンテンツデータをテレビジョン受信機８に送信する第１のネットワークＩ／Ｆ２３とを有する。
【００２０】
第２の広告コンテンツデータを格納している第２の広告コンテンツ格納部１９は、第２の広告コンテンツデータを第２の広告コンテンツ符号化部２０に供給する。第２の広告コンテンツデータが供給された第２の広告コンテンツ符号化部２０は、第２の広告コンテンツデータを、例えばＭＰＥＧ−２に準拠して符号化し、符号化された第２の広告コンテンツデータを第３の挿入部２２に供給する。第２の広告コンテンツデータと関連付けされた第２の識別コードを格納する第２のデータベース２１は、第２の広告コンテンツデータと関連付けされた第２の識別コードを第３の挿入部２２に供給する。第２の広告コンテンツデータと関連付けされた第２の識別コードが供給された第３の挿入部２２は、第２の識別コードを、第２の広告コンテンツデータのヘッダ等の所定の場所に挿入し、第２の識別コードが挿入された第２の広告コンテンツデータを第１のネットワークＩ／Ｆ２３に供給する。第２の広告データが供給された第１のネットワークＩ／Ｆ２３は、この第２の広告コンテンツデータを、インターネット５を介して例えばストリーミングでテレビジョン受信機８に送信する。
【００２１】
ここで、放送装置４で第１の広告コンテンツデータ及び番組コンテンツデータの所定の場所に挿入される第１の識別コードと、配信サーバ７で第２の広告コンテンツデータの所定の場所に挿入される第２の識別コードについて説明する。第１の識別コード及び第２の識別コードは、所定のビット数のバイナリーコードからなる（以下、第１の識別コード及び第２の識別コードを、単に、識別コードともいう。）。この識別コードは、図２に示すように、広告コンテンツデータ及び番組コンテンツデータのスポンサの業種を示す業種コード、スポンサを識別するスポンサコード及びこのスポンサの中でも複数の広告コンテンツデータ及び番組コンテンツデータがある場合にそれぞれの広告コンテンツデータ及び番組コンテンツデータを識別するための広告コードを最低限含むものとする。また、識別コードは、業種コード、スポンサコード及び広告コードの他に、広告コンテンツデータ及び番組コンテンツデータに関する情報を記述するためのサブデータ等を含んでいる。そして、識別コードは、第１のデータベース１３及び第２のデータベース２１に格納されている。
【００２２】
具体的に、識別コードは、例えば、図３に示すように、業種コードに４ビット、スポンサコードに４ビット、広告コードに３ビットを割り当てている。そして、業種コードは、例えば、００００を電機、０００１を自動車、００１０を食品、００１１を小売のように割り当てていき、１１１１を００００から１１１０までに該当しないその他の業種に割り当てている。
【００２３】
また、スポンサコードは、業種コードのそれぞれに個別のスポンサが割り当てられている。例えば、スポンサコードは、業種が電機の中で、００００がＡ社、０００１がＢ社、００１０がＣ社、００１１がＤ社のように割り当てていき、１１１１のＸ社まで割り当てられている。
【００２４】
更に、広告コードは、同一スポンサにおいて、単一の広告コンテンツデータ及び番組コンテンツデータばかりでなく、複数の広告コンテンツデータ及び番組コンテンツデータを有する場合もあることから、同一スポンサ内のそれぞれの広告コンテンツデータ及び番組コンテンツデータを識別するために、それぞれの広告コンテンツデータ及び番組コンテンツデータに割り当てられている。広告コードは、例えば、Ａ社の広告コンテンツデータの中でも、０００がａ広告コンテンツデータ、００１がｂ広告コンテンツデータ、０１０がｃ広告コンテンツデータ、０１１がｄ番組コンテンツデータ、１００がｅ番組コンテンツデータ、１０１がｆ番組コンテンツデータのように、１１１まで広告コンテンツデータ及び番組コンテンツデータが割り当てられている。
【００２５】
なお、識別コードは、業種コードに４ビット、スポンサコードに４ビット、広告コードに３ビットを割り当てたが、これに限定されるものではなく、設定する業種の数、スポンサの数、各スポンサの有する広告コンテンツデータ及び番組コンテンツデータの数によって割り当てられるビット数が決められるべきものであり、細分化される度合いによって、これら各コードに割り当てられるビット数を設定してもよい。
【００２６】
以上のような識別コードは、第１の広告コンテンツデータ及び番組コンテンツのヘッダ等の所定の場所に第１の識別コードが挿入されてテレビジョン放送網２を介して放出されるとともに、第２の広告コンテンツデータのヘッダ等の所定の場所に第２の識別コードが挿入されてインターネット５を介してテレビジョン受信機８に送信される。
【００２７】
以上のような第１の識別コードが挿入された第１の広告コンテンツデータ及び番組コンテンツデータからなる放送信号と、第２の識別コードが挿入された第２の広告コンテンツデータとを受信するテレビジョン受信機８は、図４に示すように、放送装置４から放出された放送信号を受信するとともに配信サーバ７から送信された第２の広告コンテンツデータを受信して、受信した第１の識別コードと第２の識別コードとを比較する処理部２４と、第１の広告コンテンツデータ又は番組コンテンツデータと第２の広告コンテンツデータとを同時に表示する表示部２５とを備える。
【００２８】
放送装置４から放出された放送信号を受信するとともに配信サーバ７から送信された第２の広告コンテンツデータを受信して、受信した第１の識別コードと第２の識別コードとを比較する処理部２４は、放送信号を受信する放送受信部２６と、インターネット５を介して第２の広告コンテンツデータを受信する通信部２７と、第１の広告コンテンツデータ及び番組コンテンツデータの第１の識別コードと第２の広告コンテンツデータの第２の識別コードとを格納するメモリ２８と、第１の広告コンテンツデータ及び番組コンテンツデータと第２の広告コンテンツデータとを格納するフレームメモリ２９と、第１の識別コードと第２の識別コードとを比較する制御部３０とを有する。なお、処理部２４は、これらの構成要素が、バス３１によって相互接続されている。
【００２９】
放送信号を受信する放送受信部２６は、図５に示すように、放送信号を受信する受信アンテナ３２と、受信された放送信号から放送コンテンツデータを復調する放送チューナ３３と、復調され放送コンテンツデータから第１の広告コンテンツデータ及び番組コンテンツデータの第１の識別コードを抽出する第１の抽出部３４と、第１の広告コンテンツデータを復号するとともに、番組コンテンツデータを復号する第１の復号部３５とを有する。
【００３０】
放送受信部２６は、受信アンテナ３２が、放送装置４で放出された放送信号を受信し、放送信号を放送チューナ３３に供給する。放送信号が供給された放送チューナ３３は、ユーザ等に選局された所望のチャンネルの放送信号を抽出し、抽出された放送信号を増幅し、増幅された放送信号を、例えばＱＡＭ方式でデジタル復調して放送コンテンツデータを生成し、デジタル復調されて生成された放送コンテンツデータを、例えば畳み込み方式とリードソロモン方式とを組み合わせて放送コンテンツデータを誤り訂正し、誤り訂正された放送コンテンツデータを多重分離化し、多重分離化された放送コンテンツデータを第１の抽出部３４に供給する。
【００３１】
そして、放送コンテンツデータが供給された第１の抽出部３４は、第１の広告コンテンツデータ及び番組コンテンツデータのヘッダ等の所定の場所からそれぞれの第１の識別コードを抽出し、抽出された第１の識別コードをバス３１を介してメモリ２８に供給するとともに、放送コンテンツデータを第１の復号部３５に供給する。放送コンテンツデータが供給された第１の復号部３５は、例えばＭＰＥＧ−２に準拠して復号して第１の広告コンテンツデータ及び番組コンテンツデータを生成し、生成した第１の広告コンテンツデータ及び番組コンテンツデータをフレームメモリ２９に供給する。
【００３２】
インターネット５を介して配信サーバ７から第２の広告コンテンツデータを受信する通信部２７は、図５に示すように、インターネット５を介して第２の広告コンテンツデータを配信する配信サーバ７にアクセスして、この配信サーバ７から第２の識別コードが挿入された第２の広告コンテンツデータを受信する第２のネットワークＩ／Ｆ３６と、受信された第２の広告コンテンツデータから第２の識別コードを抽出する第２の抽出部３７と、第２の広告コンテンツデータを復号する第２の復号部３８とを有する。
【００３３】
第２のネットワークＩ／Ｆ３６は、インターネット５を介して配信サーバ７にアクセスし、この配信サーバ７から第２の識別コードが挿入された第２の広告コンテンツデータを受信し、受信した第２の広告コンテンツデータを第２の抽出部３７に供給する。第２の広告コンテンツデータが供給された第２の抽出部３７は、第２の広告コンテンツデータのヘッド等の所定の場所から第２の識別コードを抽出し、抽出した第２の識別コードをバス３１を介してメモリ２８に供給するとともに、第２の広告コンテンツデータを第２の復号部３８に供給する。第２の広告コンテンツデータが供給された第２の復号部３８は、第２の広告コンテンツデータを、例えばＭＰＥＧ−２に準拠して復号し、復号した第２の広告コンテンツデータをフレームメモリ２９に供給する。
【００３４】
第１の広告コンテンツデータ及び番組コンテンツデータの第１の識別コードと第２の広告コンテンツデータの第２の識別コードとを格納するメモリ２８は、図４及び図５に示すように、ハードディスク、不揮発性メモリ等で構成されている。メモリ２８は、放送受信部２６から供給された第１の識別コード及び通信部２７から供給された第２の識別コードを格納する。
【００３５】
第１の広告コンテンツデータ、番組コンテンツデータ及び第２の広告コンテンツデータを格納するフレームメモリ２９は、図４及び図５に示すように、表示部２５に表示する放送受信部２６から放出された第１の広告コンテンツデータ及び番組コンテンツデータと通信部２７から送信された第２の広告コンテンツデータとを格納する。そして、フレームメモリ２９は、格納した第１の広告コンテンツデータ及び番組コンテンツデータと第２の広告コンテンツデータとを表示部２５に供給する。
【００３６】
第１の識別コードと第２の識別コードとを比較する制御部３０は、図４に示すように、バス３１を介してテレビジョン受信機８の各部の動作を制御するものであり、ＣＰＵ（Central Processing Unit）と、制御用プログラムが格納されたＲＯＭ（Read Only Memory）と、例えばプログラムを実行する際のワークエリアとして使用されるＲＡＭ（Random Access Memory）等を備えている。制御部３０は、例えば、表示部２５に同時に表示予定の第１の広告コンテンツデータ又は番組コンテンツデータの第１の識別コードと第２の広告コンテンツデータの第２の識別コードとを比較して、表示部２５に同時に表示するか否かを判定する。
【００３７】
具体的に、制御部３０は、メモリ２８に格納されている第１の広告コンテンツデータ又は番組コンテンツデータの第１の業種コードを読み出すとともに、メモリ２８に格納されている第２の広告コンテンツデータの第２の業種コードを読み出して、第１の業種コードと第２の業種コードとを比較する。制御部３０は、第１の業種コードと第２の業種コードとが同一であるとき、メモリ２８に格納されている第１の広告コンテンツデータ又は番組コンテンツデータの第１のスポンサコードを読み出すとともに、メモリ２８に格納されている第２の広告コンテンツデータの第２のスポンサコードを読み出して、第１のスポンサコードと第２のスポンサコードとを比較する。また、制御部３０は、第１のスポンサコードと第２のスポンサコードとが異なるとき、放送受信部２６から第１の広告コンテンツデータ又は番組コンテンツデータをフレームメモリ２９に供給するとともに、通信部２７から第２の広告コンテンツデータをフレームメモリ２９に供給する。
【００３８】
一方、制御部３０は、第１の業種コードと第２の業種コードとが同一であるとき、通信部２７で新たな第２の広告コンテンツデータをインターネット５を介して受信し、新たな第２の広告コンテンツデータの第２の識別コードと、第１の広告コンテンツデータ又は番組コンテンツデータの第１の識別コードとを比較して、表示部２５に同時に表示するか否かを判定する。
【００３９】
第１の広告コンテンツデータ又は番組コンテンツデータと第２の広告コンテンツデータとを同時に表示する表示部２５は、図４に示すように、例えば、ＬＣＤ（Liquid Crystal Display）、ＣＲＴ（Cathode Ray Tube）等で構成されている。表示部２５は、第１の広告コンテンツデータ又は番組コンテンツデータと第２の広告コンテンツデータとがフレームメモリ２９から供給され、第１の広告コンテンツデータ又は番組コンテンツデータと第２の広告コンテンツデータとを同時に表示する。
【００４０】
具体的に、表示部２５は、図６（Ａ）に示すように、第１の広告コンテンツデータ又は番組コンテンツデータの表示領域３と第２の広告コンテンツデータの表示領域６とが、重ならないように設けられている。なお、表示部２５は、第１の広告コンテンツデータ又は番組コンテンツデータの表示領域３と第２の広告コンテンツデータの表示領域６とが、重ならないように設けることに限定されるものではなく、図６（Ｂ）に示すように、一部が重なるように設けてもよい。また、表示部２５は、図６（Ｃ）に示すように、一方の表示領域を表示部２５の全面に設け、他方の表示領域をこの一方の表示領域に重なるように設けてもよい。
【００４１】
次に、以上のような構成を備える表示システム１を用いて、現在表示部２５に表示中の第１の広告コンテンツデータと、この第１の広告コンテンツデータの第１のスポンサと同業種であり他のスポンサである第２のスポンサの第２の広告コンテンツデータとが表示部２５に同時に表示する表示方法について、図７に示すフローチャートを用いて説明する。
【００４２】
先ず、ステップＳ１において、ユーザは、放送装置４からデジタル放送網２を介して放出された第１の広告コンテンツデータ及び番組コンテンツデータをテレビジョン受信機８で視聴することができる。
【００４３】
具体的に、第１の広告コンテンツデータを格納している放送装置４の第１の広告コンテンツ格納部９は、第１の広告コンテンツデータを第１の広告コンテンツ符号化部１１に供給する。第１の広告コンテンツデータが供給された第１の広告コンテンツ符号化部１１は、第１の広告コンテンツデータを、例えばＭＰＥＧ−２に準拠して符号化し、符号化された第１の広告コンテンツデータを第１の挿入部１４に供給する。第１の広告コンテンツデータと関連付けされた第１の識別コードを格納する第１のデータベース１３は、第１の広告コンテンツデータと関連付けされた第１の識別コードを第１の挿入部１４に供給する。第１の広告コンテンツデータと関連付けされた第１の識別コードが供給された第１の挿入部１４は、第１の識別コードを、第１の広告コンテンツデータのヘッダ等の所定の場所に挿入し、この第１の広告コンテンツデータをスイッチャ１６に供給する。
【００４４】
また、番組コンテンツデータを格納している番組コンテンツ格納部１０は、番組コンテンツデータを番組コンテンツ符号化部１２に供給する。番組コンテンツデータが供給された番組コンテンツ符号化部１２は、番組コンテンツデータを、例えばＭＰＥＧ−２に準拠して符号化し、符号化された番組コンテンツデータを第２の挿入部１５に供給する。番組コンテンツデータと関連付けされた第１の識別コードを格納する第１のデータベース１３は、番組コンテンツデータと関連付けされた第１の識別コードを第２の挿入部１５に供給する。番組コンテンツデータと関連付けされた第１の識別コードが供給された第２の挿入部１５は、第１の識別コードを、番組コンテンツデータのヘッダ等の所定の場所に挿入し、この番組コンテンツデータをスイッチャ１６に供給する。
【００４５】
そして、第１の広告コンテンツデータ及び番組コンテンツデータが供給されたスイッチャ１６は、例えば番組コンテンツデータの所定時間おきに第１の広告コンテンツデータが所定時間放送されるように、番組コンテンツデータに第１の広告コンテンツデータを挿入して時系列に並べて放送コンテンツデータを生成し、この放送コンテンツデータを変調部１７に供給する。放送コンテンツデータが供給された変調部１７は、放送コンテンツデータを多重化し、多重化された放送コンテンツデータを、例えば畳み込み方式とリードソロモン方式とを組み合わせて誤り訂正符号化し、誤り訂正符号化された放送コンテンツデータを、例えばＱＡＭ方式でデジタル変調して放送信号を生成し、デジタル変調して生成された放送信号を増幅し、増幅された放送信号を送信アンテナ１８に供給する。放送信号が供給された送信アンテナ１８は、この放送信号を、デジタル放送網２を介して放出する。
【００４６】
一方、テレビジョン受信機８の受信アンテナ３２は、放送装置４で放出された放送信号を受信し、放送信号を放送チューナ３３に供給する。放送信号が供給された放送チューナ３３は、ユーザ等に選局された所望のチャンネルの放送信号を抽出し、抽出された放送信号を増幅し、増幅された放送信号を、例えばＱＡＭ方式でデジタル復調して放送コンテンツデータを生成し、デジタル復調されて生成された放送コンテンツデータを、例えば畳み込み方式とリードソロモン方式とを組み合わせて放送コンテンツデータを誤り訂正し、誤り訂正された放送コンテンツデータを多重分離化し、多重分離化された放送コンテンツデータを第１の抽出部３４に供給する。
【００４７】
そして、放送コンテンツデータが供給された第１の抽出部３４は、第１の広告コンテンツデータ及び番組コンテンツデータのヘッダ等の所定の場所からそれぞれの第１の識別コードを抽出し、抽出された第１の識別コードをバス３１を介してメモリ２８に供給するとともに、放送コンテンツデータを第１の復号部３５に供給する。放送コンテンツデータが供給された第１の復号部３５は、例えばＭＰＥＧ−２に準拠して復号して第１の広告コンテンツデータ及び番組コンテンツデータを生成し、第１の広告コンテンツデータ又は番組コンテンツデータをフレームメモリ２９に供給する。第１の広告コンテンツデータ又は番組コンテンツデータが供給されたフレームメモリ２９は、第１の広告コンテンツデータ又は番組コンテンツデータを表示部２５に供給する。第１の広告コンテンツデータ又は番組コンテンツデータが供給された表示部２５は、第１の広告コンテンツデータ又は番組コンテンツデータを表示する。
【００４８】
これにより、ユーザは、放送装置４からデジタル放送網２を介して放出された第１の広告コンテンツデータ及び番組コンテンツデータをテレビジョン受信機８で視聴することができる。
【００４９】
以上のようにユーザが放送装置４からデジタル放送網２を介して放出された第１のスポンサの第１の広告コンテンツデータを見ている最中に、第１のスポンサと同業種であり他の第２のスポンサである第２の広告コンテンツデータを見るために、テレビジョン受信機８を用いてインターネット５を介して配信サーバ７にアクセスしたとき、第２の広告コンテンツデータを格納している配信サーバ７の第２の広告コンテンツ格納部１９は、第２の広告コンテンツデータを第２の広告コンテンツ符号化部２０に供給する。第２の広告コンテンツデータが供給された第２の広告コンテンツ符号化部２０は、第２の広告コンテンツデータを、例えばＭＰＥＧ−２に準拠して符号化し、符号化された第２の広告コンテンツデータを第３の挿入部２２に供給する。第２の広告コンテンツデータと関連付けされた第２の識別コードを格納する第２のデータベース２１は、第２の広告コンテンツデータと関連付けされた第２の識別コードを第３の挿入部２２に供給する。第２の広告コンテンツデータと関連付けされた第２の識別コードが供給された第３の挿入部２２は、第２の識別コードを、第２の広告コンテンツデータのヘッダ等の所定の場所に挿入し、第２の識別コードが挿入された第２の広告コンテンツデータを第１のネットワークＩ／Ｆ２３に供給する。第２の広告データが供給された第１のネットワークＩ／Ｆ２３は、この第２の広告コンテンツデータを、インターネット５を介して例えばストリーミングでテレビジョン受信機８に送信する。
【００５０】
一方、テレビジョン受信機８の第２のネットワークＩ／Ｆ３６は、配信サーバ７から第２の識別コードが挿入された第２の広告コンテンツデータを受信し、受信した第２の広告コンテンツデータを第２の抽出部３７に供給する。第２の広告コンテンツデータが供給された第２の抽出部３７は、第２の広告コンテンツデータのヘッド等の所定の場所から第２の識別コードを抽出し、抽出した第２の識別コードをバス３１を介してメモリ２８に供給するとともに、第２の広告コンテンツデータを第２の復号部３８に供給する。第２の広告コンテンツデータが供給された第２の復号部３８は、第２の広告コンテンツデータを、例えばＭＰＥＧ−２に準拠して復号し、復号した第２の広告コンテンツデータをフレームメモリ２９に供給する。
【００５１】
次に、ステップＳ２において、制御部３０は、メモリ２８に格納されている第１の広告コンテンツデータの第１の業種コードを読み出すとともに、メモリ２８に記憶されている第２の広告コンテンツデータの第２の業種コードを読み出す。
【００５２】
次に、ステップＳ３において、制御部３０は、第１の業種コードと第２の業種コードとを比較する。制御部３０は、第１の業種コードと第２の業種コードとが同一であるとき、すなわち、第１の業種コードが００００で電機業種を示し、第２の業種コードも００００で電機業種を示し、第２の広告コンテンツデータの第２のスポンサが第１の広告コンテンツデータの第１のスポンサと同業種であるとき、ステップＳ４に進む。また、制御部３０は、第１の業種コードと第２の業種コードとが異なるとき、すなわち、例えば、第１の業種コードが００００で電機業種を示し、第２の業種コードが０００１で自動車業種を示し、第２のスポンサが第１のスポンサと異なる業種であるとき、ステップＳ１に戻り、通信部２７で新たな第２の広告コンテンツデータを受信し、新たな第２の広告コンテンツデータの第２の識別コードと、第１の広告コンテンツデータの第１の識別コードとを比較して、表示部２５に同時に表示するか否かを判定する。
【００５３】
本発明が適用された表示システム１では、第１の広告コンテンツデータの第１の業種コードと第２の広告コンテンツデータの第２の業種コードとが同一であるとき、放送受信部２６から送信された第１の広告コンテンツデータと通信部２７から送信された第２の広告コンテンツデータとをテレビジョン受信機８の表示部２５に同時に表示するようにしてもよい。すなわち、表示システム１は、現在表示部２５に表示中の第１の広告コンテンツデータと、この第１の広告コンテンツデータの第１のスポンサと同業種である第２のスポンサの第２の広告コンテンツデータとを表示部２５に同時に表示する。これにより、ユーザは、第１のスポンサの広告コンテンツデータを見ている最中に、第１のスポンサと同業種であるスポンサの広告コンテンツデータを視聴することができ、同業種のスポンサの製品を比較等することができる。
【００５４】
しかし、ここでは、表示システム１が、更に、業種コードにそれぞれに個別に割り当てられている第１の広告コンテンツデータの第１のスポンサコードと第２の広告コンテンツデータの第２のスポンサコードとを比較することで、第１のスポンサの広告コンテンツと、第１のスポンサと同業種であり他のスポンサである第２のスポンサの第２の広告コンテンツとを表示部２５に同時に表示することや、第１のスポンサの広告コンテンツだけを表示部２５に同時に表示するようにしている。
【００５５】
すなわち、ステップＳ４において、制御部３０は、メモリ２８に格納されている第１の広告コンテンツデータの第１のスポンサコードを読み出すとともに、メモリ２８に記憶されている第２の広告コンテンツデータの第２のスポンサコードを読み出す。
【００５６】
次に、ステップＳ５において、制御部３０は、第１のスポンサコードと第２のスポンサコードとを比較する。制御部３０は、第１のスポンサコードと第２のスポンサコードとが異なるとき、すなわち、例えば、第１のスポンサコードが００００でＡ社を示し、第２のスポンサコードも０００１でＢ社を示し、第２の広告コンテンツデータの第２のスポンサが第１の広告コンテンツデータの第１のスポンサと同業種であり異なるスポンサであるとき、ステップＳ６に進む。ステップＳ６において、制御部３０は、第１の広告コンテンツデータと第２の広告コンテンツデータとを表示部２５に同時に表示する。すなわち、制御部３０は、同業種で異なるスポンサの広告コンテンツデータを表示部２５に同時に表示する。また、制御部３０は、第１のスポンサコードと第２のスポンサコードとが同一であるとき、すなわち、例えば、第１のスポンサコードが００００でＡ社を示し、第２のスポンサコードも００００でＡ社を示し、第２の広告コンテンツデータの第２のスポンサが第１の広告コンテンツデータの第１のスポンサと同一であるとき、ステップＳ１に戻り、通信部２７で新たな第２の広告コンテンツデータを受信し、新たな第２の広告コンテンツデータの第２の識別コードと、第１の広告コンテンツデータの第１の識別コードとを比較して、表示部２５に同時に表示するか否かを判定する。
【００５７】
次に、ステップＳ６において、フレームメモリ２９は、放送受信部２６から送信された第１の広告コンテンツデータと通信部２７から送信された第２の広告コンテンツデータとを表示部２５に供給する。そして、表示部２５は、第１の広告コンテンツデータと第２の広告コンテンツデータとを同時に表示する。
【００５８】
以上のような構成を有する表示システム１は、ステップＳ３において、第１の広告コンテンツデータの第１の業種コードと第２の広告コンテンツデータの第２の業種コードとが同一であり、ステップＳ５において、第１の広告コンテンツデータの第１のスポンサコードと第２の広告コンテンツデータの第２のスポンサコードとが異なるとき、第１の広告コンテンツデータと第２の広告コンテンツデータとをテレビジョン受信機８の表示部２５に同時に表示することで、現在表示部２５に表示中の第１の広告コンテンツデータと、この第１の広告コンテンツデータの第１のスポンサと同業種であり他のスポンサである第２のスポンサの第２の広告コンテンツデータとを表示部２５に同時に表示することができる。すなわち、表示システム１は、同業種で異なるスポンサの広告コンテンツデータを表示部２５に同時に表示することができる。これにより、ユーザは、第１のスポンサの広告コンテンツデータを見ている最中に、第１のスポンサと同業種である他のスポンサの広告コンテンツデータを視聴することができ、同業種の他のスポンサの製品を比較等することができる。
【００５９】
なお、表示システム１は、現在表示部２５に表示中の第１の広告コンテンツデータと、この第１の広告コンテンツデータの第１のスポンサと同業種である他のスポンサの広告コンテンツデータとを表示部２５に同時に表示することに限定されるものではなく、第１のスポンサの広告コンテンツデータを表示部２５に同時に表示するようにしてもよい。
【００６０】
以下、現在表示部２５に表示中の第１の広告コンテンツデータの第１のスポンサが有する広告コンテンツデータを表示部２５に同時に表示する表示システム４０について説明する。なお、表示システム４０は、上述したテレビジョン受信機８の制御部３０と処理方法が異なるものであり、上述したテレビジョン受信機８と同様の構成を有する部分については同じ符号を付して説明を省略するとともに、上述した放送装置４及び配信サーバ７は同様の構成を有するため同じ符号を付して説明を省略する。
【００６１】
この例において、制御部３０は、メモリ２８に格納されている第１の広告コンテンツデータの第１の業種コードを読み出すとともに、メモリ２８に格納されている第２の広告コンテンツデータの第２の業種コードを読み出して、第１の業種コードと第２の業種コードとを比較する。そして、制御部３０は、第１の業種コードと第２の業種コードとが同一であるとき、メモリ２８に格納されている第１の広告コンテンツデータの第１のスポンサコードを読み出すとともに、メモリ２８に格納されている第２の広告コンテンツデータの第２のスポンサコードを読み出して、第１のスポンサコードと第２のスポンサコードとを比較する。そして、制御部３０は、第１のスポンサコードと第２のスポンサコードとが同一であるとき、放送受信部２６から表示部に２５に表示する第１の広告コンテンツデータをフレームメモリ２９に供給するとともに、通信部２７から表示部２５に表示する第２の広告コンテンツデータをフレームメモリ２９に供給する。
【００６２】
一方、制御部３０は、第１の業種コードと第２の業種コードとが異なるとき、通信部２７で新たな第２の広告コンテンツデータをインターネット５を介して受信し、新たな第２の広告コンテンツデータの第２の識別コードと、第１の広告コンテンツデータの第１の識別コードとを比較して、表示部２５に同時に表示するか否かを判定する。
【００６３】
次に、以上のような構成を備える表示システム４０を用いて、現在表示部２５に表示中の第１のスポンサの広告コンテンツデータを表示部２５に同時に表示する表示方法について、図８に示すフローチャートを用いて説明する。なお、この表示方法は、上述した表示方法と同様の処理を行う部分については同じ符号を付して説明を省略する。
【００６４】
先ず、ステップＳ１〜ステップＳ４及びステップＳ６については、上述した表示方法と同様の処理を行うため、説明を省略する。
【００６５】
次に、ステップＳ７において、制御部３０は、ステップＳ３において第１の広告コンテンツデータの第１の業種コードと第２の広告コンテンツデータの第２の業種コードとが同一であり、ステップＳ４においてメモリ２８に格納されている第１の広告コンテンツデータの第１のスポンサコードを読み出すとともに、メモリ２８に格納されている第２の広告コンテンツデータの第２のスポンサコードを読み出した後、第１のスポンサコードと第２のスポンサコードとを比較する。制御部３０は、第１のスポンサコードと第２のスポンサコードとが同一であるとき、すなわち、例えば、第１のスポンサコードが００００でＡ社を示し、第２のスポンサコードも００００でＡ社を示し、第１のスポンサと第２のスポンサとが同一であるとき、放送受信部２６から第１の広告コンテンツデータをフレームメモリ２９に供給するとともに、通信部２７から第２の広告コンテンツデータをフレームメモリ２９に供給し、ステップＳ６に進む。ステップＳ６において、制御部３０は、第１の広告コンテンツデータと第２の広告コンテンツデータとを表示部２５に同時に表示する。すなわち、制御部３０は、同一スポンサの広告コンテンツデータを表示部２５に同時に表示する。
【００６６】
一方、制御部３０は、第１のスポンサコードと第２のスポンサコードとが異なるとき、すなわち、例えば、第１のスポンサコードが００００でＡ社を示し、第２のスポンサコードが０００１でＢ社を示し、第２の広告コンテンツデータの第２のスポンサが第１のスポンサと同業種であり他のスポンサであるとき、ステップＳ１に戻り、通信部２７で新たな第２の広告コンテンツデータを受信し、新たな第２の広告コンテンツデータの第２の識別コードと、第１の広告コンテンツデータの第１の識別コードとを比較して、表示部２５に同時に表示するか否かを判定する。
【００６７】
以上のような構成を有する表示システム４０は、ステップＳ３において、第１の広告コンテンツデータの第１の業種コードと第２の広告コンテンツデータの第２の業種コードとが同一であり、ステップＳ７において、第１の広告コンテンツデータの第１のスポンサコードと第２の広告コンテンツデータの第２のスポンサコードとが同一であるとき、第１の広告コンテンツデータと第２の広告コンテンツデータとを表示部２５に同時に表示することで、現在表示部２５に表示中の第１の広告コンテンツデータと、この第１の広告コンテンツデータの第１のスポンサが有する広告コンテンツデータとが表示部２５に同時に表示することができる。すなわち、表示システム４０は、同一スポンサの広告コンテンツデータを表示部２５に同時に表示する。これにより、ユーザは、第１のスポンサの広告コンテンツデータを見ている最中に、第１のスポンサが有する広告コンテンツデータを視聴することができ、第１のスポンサが有する製品を比較等することができる。
【００６８】
次に、上述した表示システム４０は、同一スポンサの同一の広告コンテンツデータが表示部２５に同時に表示されることがあり、同一スポンサの異なる広告コンテンツデータを表示部２５に同時に表示する表示システム５０について説明する。なお、表示システム５０は、表示システム４０のテレビジョン受信機８に以下の構成を備えるものであり、上述した放送装置４及び配信サーバ７は同様の構成を有するため同じ符号を付して説明を省略するとともに、上述したテレビジョン受信機８と同様の構成を有する部分については同じ符号を付して説明を省略する。
【００６９】
この例において、制御部３０は、更に、第１の広告コンテンツデータの第１のスポンサコードと第２の広告コンテンツデータの第２のスポンサコードとが同一であるとき、メモリ２８に格納されている第１の広告コンテンツデータの第１の広告コードを読み出すとともに、メモリ２８に格納されている第２の広告コンテンツデータの第２の広告コードを読み出して、第１の広告コードと第２の広告コードとを比較する。制御部３０は、第１の広告コードと第２の広告コードとが異なるとき、放送受信部２６から第１の広告コンテンツデータをフレームメモリ２９に供給するとともに、通信部２７から第２の広告コンテンツデータをフレームメモリ２９に供給する。
【００７０】
一方、制御部３０は、第１の広告コードと第２の広告コードとが同一であるとき、通信部２７で新たな第２の広告コンテンツデータを受信し、新たな第２の広告コンテンツデータの第２の識別コードと、第１の広告コンテンツデータの第１の識別コードとを比較して、表示部２５に同時に表示するか否かを判定する。
【００７１】
次に、以上のような構成を備える表示システム５０を用いて、現在表示部２５に表示中の第１の広告コンテンツデータと、この第１の広告コンテンツデータの第１のスポンサが有する第１の広告コンテンツデータと異なる広告コンテンツデータとを表示部２５に同時に表示する表示方法について、図９に示すフローチャートを用いて説明する。なお、この表示方法は、上述した表示システム４０の表示方法と同様の処理を行う部分については同じ符号を付して説明を省略する。
【００７２】
先ず、ステップＳ１〜ステップＳ７については、上述した表示方法と同様の処理を行うため、説明を省略する。
【００７３】
次に、ステップＳ８において、制御部３０は、ステップＳ７において第１の広告コンテンツデータの第１のスポンサコードと第２の広告コンテンツデータの第２のスポンサコードとが同一であるとき、メモリ２８に格納されている第１の広告コンテンツデータの第１の広告コードを読み出すとともに、メモリ２８に格納されている第２の広告コンテンツデータの第２の広告コードを読み出す。
【００７４】
次に、ステップＳ９において、制御部３０は、第１の広告コードと第２の広告コードとを比較する。そして、制御部３０は、第１の広告コードと第２の広告コードとが異なるとき、すなわち、第１の広告コードが０００でａ広告コンテンツデータを示し、第２の広告コードが００１でｂ広告コンテンツデータを示し、同一スポンサであるが異なる広告コンテンツデータであるとき、放送受信部２６から第１の広告コンテンツデータをフレームメモリ２９に供給するとともに、通信部２７から第２の広告コンテンツデータをフレームメモリ２９に供給し、ステップＳ６に進む。ステップＳ６において、制御部３０は、第１の広告コンテンツデータと第２の広告コンテンツデータとを表示部２５に同時に表示する。すなわち、制御部３０は、同一スポンサの異なる広告コンテンツデータを表示部２５に同時に表示する。
【００７５】
一方、制御部３０は、第１の広告コードと第２の広告コードとが同一であるとき、すなわち、第１の広告コードが０００でａ広告コンテンツデータを示し、第２の広告コードも０００でａ広告コンテンツデータを示し、同一スポンサの同一の広告コンテンツデータであるとき、ステップＳ１に戻り、通信部２７で新たな第２の広告コンテンツデータを受信し、新たな第２の広告コンテンツデータの第２の識別コードと、第１の広告コンテンツデータの第１の識別コードとを比較して、表示部２５に同時に表示するか否かを判定する。
【００７６】
以上のような構成を有する表示システム５０は、ステップＳ３において、第１の広告コンテンツデータの第１の業種コードと第２の広告コンテンツデータの第２の業種コードとが同一であり、ステップＳ７において、第１の広告コンテンツデータの第１のスポンサコードと第２の広告コンテンツデータの第２のスポンサコードとが同一であり、ステップＳ８において、第１の広告コンテンツデータの第１の広告コードと第２の広告コンテンツデータの第２の広告コードとが異なるとき、第１の広告コンテンツデータと第２の広告コンテンツデータとを表示部２５に同時に表示することで、現在表示部２５に表示中の第１の広告コンテンツデータと、この第１の広告コンテンツデータの第１のスポンサの他の広告コンテンツデータとを表示部２５に同時に表示することができる。すなわち、表示システム５０は、同一スポンサの異なる広告コンテンツデータを表示部２５に同時に表示する。これにより、ユーザは、第１のスポンサの広告コンテンツデータを見ている最中に、第１のスポンサが有する他の広告コンテンツデータを視聴することができ、第１のスポンサが有する製品を比較等することができる。
【００７７】
なお、表示システム１，４０，５０は、現在表示部２５に表示中の第１の広告コンテンツデータと、この第１の広告コンテンツデータと関連性のある第２の広告コンテンツデータとを表示部２５に同時に表示することに限定されるものではなく、番組コンテンツデータと、この番組コンテンツデータと関連性のある第２の広告コンテンツデータとを表示部２５に同時に表示するようにしてもよい。これにより、表示システム１，４０，５０は、現在表示部２５に表示中の番組コンテンツデータと、この番組コンテンツデータと関連性のある広告コンテンツデータとを表示部２５に同時に表示することができる。
【００７８】
また、表示システム１，４０，５０は、第１の広告コンテンツデータが、デジタル放送網２を介して受信した広告コンテンツデータ及び番組コンテンツデータに限定されるものではなく、インターネット５を介して受信した広告コンテンツデータ及び番組コンテンツデータでもよい。これにより、表示システム１，４０，５０は、現在表示部２５に表示中のインターネット５を介して受信したストリーミング放送やＩＰマルチキャスト放送等の広告コンテンツデータ及び番組コンテンツデータと、これら広告コンテンツデータ及び番組コンテンツデータと関連性のある広告コンテンツデータとを表示部２５に同時に表示することができる。
【００７９】
更に、表示システム１，４０，５０は、第２の広告コンテンツデータが、ストリーミング広告等の広告コンテンツデータに限定されるものではなく、クーポンデータ等でもよい。これにより、表示システム１，４０，５０は、現在表示部２５に表示中の広告コンテンツデータ又は番組コンテンツデータと、これら広告コンテンツデータ又は番組コンテンツデータと関連性のあるクーポンデータとを表示部２５に同時に表示することができる。
【００８０】
また、表示システム１，４０，５０は、テレビジョン受信機８に限定されるものではなく、パーソナルコンピュータ及び携帯電話機等でもよい。更に、表示システム１，４０，５０は、デジタル放送網２に限定されるものではなく、アナログ放送でもよい。
【図面の簡単な説明】
【００８１】
【図１】本発明が適用された表示システムのブロック図である。
【図２】識別コードの一例を示した図である。
【図３】業種コード、スポンサコード及び広告コードの一例を示した図である。
【図４】本発明が適用されたテレビジョン受信機のブロック図である。
【図５】放送用チューナと通信受信部のブロック図である。
【図６】第１の広告コンテンツデータ又は番組コンテンツデータの表示領域と第２の広告コンテンツデータの表示領域との様子を示した簡易正面図であり、（Ａ）は、第１の広告コンテンツデータ又は番組コンテンツデータの表示領域と第２の広告コンテンツデータの表示領域とが重ならないように設けられている。（Ｂ）は、第１の広告コンテンツデータ又は番組コンテンツデータの表示領域と第２の広告コンテンツデータデータの表示領域とが一部重なるように設けられている。（Ｃ）は、一方の表示領域を表示部の全面に設け、他方の表示領域をこの一方の表示領域に重なるように設けられている。
【図７】本発明が適用された表示システムを用いた表示方法のフローチャートである。
【図８】本発明が適用された表示システムを用いた他の表示方法のフローチャートである。
【図９】本発明が適用された表示システムを用いた他の表示方法のフローチャートである。
【符号の説明】
【００８２】
１  表示システム、２  テレビジョン放送、３  表示領域、４  放送装置、５  インターネット、６  表示領域、７  配信サーバ、８  テレビジョン受信機、９  第１の広告コンテンツ格納部、１０  番組コンテンツ格納部、１１  第１の広告コンテンツ符号化部、１２  番組コンテンツ符号化部、１３  第１のデータベース、１４  第１の挿入部、１５  第２の挿入部、１６  スイッチャ、１７  変調部、１８  送信アンテナ、１９  第２の広告コンテンツ格納部、２０  第２の広告コンテンツ符号化部、２１  第２のデータベース、２２  第３の挿入部、２３  第１の送信ネットワークＩ／Ｆ、２４  処理部、２５  表示部、２６  放送受信部、２７  通信受信部、２８  メモリ、２９  フレームメモリ、３０  制御部、３１  バス、３２  受信アンテナ、３３  放送チューナ、３４  第１の抽出部、３５  第１の復号部、３６  第２のネットワークＩ／Ｆ、３７  第２の抽出部、３８  第２の復号部、４０  表示システム、５０  表示システム
【図１】
2009010873.tif 000003
【図２】
2009010873.tif 000004
【図３】
2009010873.tif 000005
【図４】
2009010873.tif 000006
【図５】
2009010873.tif 000007
【図６】
2009010873.tif 000008
【図７】
2009010873.tif 000009
【図８】
2009010873.tif 000010
【図９】
2009010873.tif 000011